(57)【要約】【課題】  デジタルカメラの操作性を向上させる。【解決手段】  デジタルカメラ１１のＣＰＵ５１に角度解析回路５２と表示制御回路５３を備え、加速度センサ５５と、表示プログラム５４を有するＲＯＭ５６をＣＰＵ５１に接続した。角度解析回路５２は、加速度センサ５５からの検知信号に基づいてデジタルカメラ１１の傾き角を解析し、解析結果を表示制御回路５３に出力する。表示制御回路５３は、解析結果と表示プログラム５４とを使用して表示パネル１９に撮影画像をスライドショー表示する際の表示速度を求める。表示プログラム５４は、前記傾き角に応じて前記表示速度を変化するように設定されているので、撮影者は、前記傾き角を調節するだけで前記表示速度を調節でき、デジタルカメラ１１の操作性を向上することが可能になる。【選択図】        図３
2007049484.tif 000002
【特許請求の範囲】
【請求項１】
撮影した撮影画像を表示する表示パネルをカメラボディに備えたデジタルカメラにおいて、
水平面に対する前記カメラボディの傾き角を検知する傾き角検知手段と、
前記表示パネルに前記撮影画像を順次表示するスライドショー表示を行い、前記スライドショー表示を行う際の前記撮影画像の表示速度と前記撮影画像を表示する順番との少なくともいずれか一方を前記傾き角検知手段の検知結果に基づいて決定するスライドショー表示手段とを備えたことを特徴とするデジタルカメラ。
【請求項２】
前記デジタルカメラは、
複数の前記撮影画像の一部を順次表示するコマ送り表示を開始する開始画像、及び前記コマ送り表示を終了する終了画像を選択する選択手段と、
前記コマ送り表示を行う際の前記撮影画像の表示速度と前記撮影画像を表示する順番との少なくともいずれか一方を前記傾き角検知手段の検知結果に基づいて決定するコマ送り表示手段とを備えたことを特徴とする請求項１記載のデジタルカメラ。
【請求項３】
前記デジタルカメラは、
複数の前記撮影画像の一部を削除画像として選択する選択手段と、
前記選択手段が選択した前記削除画像を順次表示するコマ送り表示を行い、前記コマ送り表示を行う際の前記削除画像の表示速度と前記削除画像を表示する順番との少なくともいずれか一方を前記傾き角検知手段の検知結果に基づいて決定するコマ送り表示手段とを備えたことを特徴とする請求項１記載のデジタルカメラ。
【請求項４】
前記スライドショー表示手段は、前記傾き角の絶対値の増加に応じて前記撮影画像の表示速度を上げることを特徴とする請求項１ないし３のいずれか一に記載のデジタルカメラ。
【請求項５】
前記コマ送り表示手段は、前記傾き角の絶対値の増加に応じて前記撮影画像の表示速度を上げることを特徴とする請求項２ないし４のいずれか一に記載のデジタルカメラ。
【発明の詳細な説明】
【技術分野】
【０００１】
本発明は、記録媒体に記録されている撮影画像を順次表示させるスライドショー表示機能を備えたデジタルカメラに関する。
【背景技術】
【０００２】
被写体画像をデジタルの画像データに変換して記録するデジタルカメラが普及している。デジタルカメラは、カメラボディの背面に表示パネル及び各種操作ボタンを備えている。表示パネルは、デジタルカメラが撮影モードの時にはスルー画像や静止画像を表示し、デジタルカメラが再生モードの時にはメモリカードから読み出された撮影画像を表示する。また、表示パネルは、撮影者がデジタルカメラの設定を行う場合には、例えば撮影時における連写モードのオン・オフの切替や、感度の設定等を行うメニュー画面を表示する。操作ボタンは、撮影モード及び再生モード等のモード切替やデジタルカメラの各種設定を行うときに使用される。操作ボタンには、ズーミングを行う際に使用されるズームボタンや前述したメニュー画面の切替を行う切替ボタン等がある。
【０００３】
ところで、近年は、デジタルカメラを小型化及び薄型化するために種々の開発が行われている。このため、カメラボディに表示パネル及び操作ボタンを取り付けるスペースも少なくなっており、従来のデジタルカメラに組みつけられていた大きさの表示パネル及び操作ボタンを小型化されたデジタルカメラに取り付けることが困難になっている。したがって、デジタルカメラの小型化に併せて、表示パネルや操作ボタンは小型化される傾向にある。しかし、撮影者は、表示パネルに表示された画像等を見て撮影画像の確認をし、操作ボタンを操作する。このため、表示パネルや操作ボタンが小型化されると、表示パネルに表示された画像を見ただけでは撮影者が撮影画像の確認を十分に行えず、ピンボケの撮影画像をピントのあった撮影画像と誤って判断して、その撮影画像の画像データをメモリカードに書き込んだり、操作ボタンを操作しているときに誤操作を引き起こす原因となるおそれがあった。
【０００４】
また、近年は、メモリカードの大容量化に伴なって、大量の画像データが記録できるようになっている。さらに、連写機能が搭載されているデジタルカメラが普及していることから、撮影者が撮影する枚数も増加する傾向にある。しかし、連写機能を使用して連続撮影をした場合、全ての画像データが必要になるわけではなく、その一部の画像データが必要になるだけで、ほとんどの画像データは不要になる。したがって、従来のデジタルカメラの場合には、メモリカードから削除する画像データの数も大量になり、画像データの削除に手間がかかるという問題があった。
【０００５】
そこで、このような問題点を解決するために、デジタルカメラの高さ方向、横方向及び奥行方向に加えられる振動を加速度センサで検知して、検知された振動が高さ方向のものの場合にはモード変更、横方向の場合にはコマ送り又はコマ戻し、奥行方向の場合にはズーミングを行うように設定して操作性を向上させたデジタルカメラや（特許文献１）、操作ボタンを操作してメモリカードに書き込まれている全ての画像データを順次スライドショー表示させて、削除してもよい画像データを撮影者が予め選択しておき、撮影を行っているときにメモリカードに画像データが記録できなくなると、選択された画像データを優先的に削除し、新しい画像データを順次メモリカードに書き込むデジタルカメラ（特許文献２）が公開されている。
【特許文献１】特開２０００−１２５１８４号公報
【特許文献２】特開２００２−１５２５５７号公報
【発明の開示】
【発明が解決しようとする課題】
【０００６】
しかしながら、特許文献１及び特許文献２に記載されているデジタルカメラのスライドショー表示は、予め定められた一定の表示速度で行われる。このため、メモリカードに記録されている画像データ数が少ない場合には有効であるものの、メモリカードに記録されている画像データ数が多くなると全ての画像データをスライドショー表示するのに時間がかかり、効率的でないという問題点がある。
【０００７】
本発明は、上記問題点を解決するためになされたものであり、大量の画像データがメモリカードに記録されている場合でも、効率的にスライドショー表示を行うことが出来るとともに、スライドショー表示させたい特定の画像データや削除してもよい画像データの選択を効率的に行えるデジタルカメラを提供することを目的とする。
【課題を解決するための手段】
【０００８】
上記の問題点を解決するにあたり、本発明のデジタルカメラは、撮影した撮影画像を表示する表示パネルをカメラボディに備えたデジタルカメラにおいて、水平面に対する前記カメラボディの傾き角を検知する傾き角検知手段と、前記表示パネルに前記撮影画像を順次表示するスライドショー表示を行い、前記スライドショー表示を行う際の前記撮影画像の表示速度と前記撮影画像を表示する順番との少なくともいずれか一方を前記傾き角検知手段の検知結果に基づいて決定するスライドショー表示手段とを備えたことを特徴とする。
【０００９】
なお、前記デジタルカメラは、複数の前記撮影画像の一部を順次表示するコマ送り表示を開始する開始画像、及び前記コマ送り表示を終了する終了画像を選択する選択手段と、前記コマ送り表示を行う際の前記撮影画像の表示速度と前記撮影画像を表示する順番との少なくともいずれか一方を前記傾き角検知手段の検知結果に基づいて決定するコマ送り表示手段とを備えたことが好ましい。
【００１０】
また、前記デジタルカメラは、複数の前記撮影画像の一部を削除画像として選択する選択手段と、前記選択手段が選択した前記削除画像を順次表示するコマ送り表示を行い、前記コマ送り表示を行う際の前記削除画像の表示速度と前記削除画像を表示する順番との少なくともいずれか一方を前記傾き角検知手段の検知結果に基づいて決定するコマ送り表示手段とを備えたことが好ましい。
【００１１】
また、前記スライドショー表示手段は、前記傾き角の絶対値の増加に応じて前記撮影画像の表示速度を上げることが好ましい。
【００１２】
また、前記コマ送り表示手段は、前記傾き角の絶対値の増加に応じて前記削除画像の表示速度を上げることが好ましい。
【発明の効果】
【００１３】
本発明によれば、水平面に対するカメラボディの傾き角に応じて、表示パネルにスライドショー表示させる速度及び表示させる順番を変化させるから、不要な画像が表示されているときは表示速度を上げて、選択したい画像の近傍になったときは表示速度を下げて調節したり、表示させる順番を変えながら撮影画像を選択することができる。したがって、デジタルカメラの傾き角を調節することのみによってスライドショー表示の表示速度及び表示させる順番を制御できるので、外部メモリに多くの画像が記録されている場合におけるデジタルカメラの操作性を飛躍的に向上させることが可能になる。また、撮影後に必要な撮影画像と不要な撮影画像とを区別する際にも、表示速度、及び表示させる順を変化させながら不要な撮影画像を選択するから、外部メモリに記録されている画像の整理を行う場合にも操作しやすくすることが可能になる。
【００１４】
さらに、開始画像及び終了画像を選択した後に開始画像から終了画像までの撮影画像をコマ送り表示させる場合においても、デジタルカメラの傾き角に応じてコマ送り表示させる表示速度及び表示させる順番を変化させるから、コマ送り表示させる際のデジタルカメラの操作性も飛躍的に向上させることが可能になる。また、削除画像として選択された撮影画像をコマ送り表示させる場合においても、デジタルカメラの傾き角に応じてコマ送り表示させる表示速度及び表示させる順番を変化させるから、コマ送り表示させる際のデジタルカメラの操作性も飛躍的に向上させることが可能になる。また、この場合には、撮影者が見やすい表示速度で削除画像の確認を行うことが出来るので、削除画像の確認作業を効率的に行うことが可能になる。
【発明を実施するための最良の形態】
【００１５】
図１に示すように、本発明を適用したデジタルカメラ１１は、略直方体のカメラボディ１２の前面にレンズバリア１３、撮影レンズ１４、ストロボ装置１５を備えている。また、デジタルカメラ１１は、カメラボディ１２の上面に電源スイッチ１６及びレリーズボタン１７を備えている。
【００１６】
レンズバリア１３は、撮影レンズ１４及びストロボ装置１５を覆う閉じ位置と、撮影レンズ１４及びストロボ装置１５を露呈させる開き位置との間でスライド移動するように設けられている。撮影レンズ１４は、その後方に位置付けられたＣＣＤイメージセンサ３６（図３参照）の受光面に被写体画像を結像させるように構成されている。ストロボ装置１５は、例えば夜間撮影時のように被写体の明るさが暗い場合にレリーズボタン１７が押圧操作されると、瞬間的に発光するように構成されている。
【００１７】
図２に示すように、デジタルカメラ１１は、カメラボディ１２の裏面にファインダー１８、表示パネル１９、第１切替ボタン２０、第２切替ボタン２１、ズーム操作スイッチ２２、メニューボタン２３、実行ボタン２４、キャンセルボタン２５及び表示ボタン２６を備えている。表示パネル１９は液晶パネルからなり、被写体画像の撮影を行う撮影モード時にはスルー画像や静止画像が表示され、撮影後の撮影画像を再生する再生モード時には、メモリカードに記録された撮影画像の停止表、スライドショー表示及びコマ送り表示が行われるように構成されている。
【００１８】
第１切替ボタン２０は、プッシュ式のボタンからなり、撮影モード又は再生モードの切替操作を行うために設けられている。撮影モードと再生モードとの切替は、第１切替ボタン２０が押圧操作される毎に行われる。第２切替ボタン２１は、プッシュ式のボタンからなり、第１切替ボタン２０が押圧操作されてデジタルカメラ１１が再生モードに切り替えられているときに、後述する表示モード及び削除モードの切替操作を行うために設けられている。表示モード及び削除モードの切替は、第２切替ボタン２１が押圧操作される毎に行われる。なお、撮影モードの場合には、第２切替ボタン２１の押圧操作は無効化される。無効化は、例えば、デジタルカメラ１１が撮影モードに切り替えられているときには第２切替ボタン２１が押圧操作できなくなるようにしてもよいし、第２切替ボタン２１が押圧操作されたときに、第２切替ボタン２１の内部に設けられている図示しないボタンセンサから出力される信号を後述するＣＰＵ５１（図３参照）でキャンセルしてもよい。
【００１９】
ズーム操作スイッチ２２は、上下方向に操作可能なレバースイッチで構成され、これを上方向に操作するとテレ側に、下方向に操作するとワイド側に撮影レンズ１４がズーミングされる。メニューボタン２３は、撮影モード及び再生モードにおける定常画面からメニュー画面へ遷移させるときに使用される。実行ボタン２４は、メニュー画面で選択した内容を確定するとき等に使用される。キャンセルボタン２５は、メニューから選んだ項目の取消しや１つ前の操作状態に戻すとき等に使用される。表示ボタン２６は、表示パネル１９のオン・オフ操作を行うときに使用される。
【００２０】
次に、デジタルカメラ１１の電気的構成について説明する。図３に示すように、撮影レンズ１４にはフォーカスモータ３１が接続されている。フォーカスモータ３１はステッピングモータからなり、後述するＣＰＵ５１に接続されたモータドライバ３２から送信される駆動パルスにより動作制御される。絞り３３には、アイリスモータが接続されている。アイリスモータはステッピングモータからなり、ＣＰＵ５１に接続されたモータドライバ３５から送信される駆動パルスにより絞り３３を動作させて露出の調整を行う。
【００２１】
撮影レンズ１４の背後には、ＣＣＤイメージセンサ（以下、ＣＣＤ３６という。）が配置されている。ＣＣＤ３６には、ＣＰＵ５１によって制御されるタイミングジェネレータ（ＴＧ）３７が接続され、このＴＧ３７から入力されるタイミング信号（クロックパルス）により、電子シャッタのシャッタ速度が決定される。ＣＣＤ３６から出力された撮影信号は、相関二重サンプリング回路（ＣＤＳ）３８に入力され、ＣＣＤ３６の各セルの蓄積電荷量に正確に対応したＲ，Ｇ，Ｂの画像データとして出力される。ＣＤＳ３８から出力された画像データは、増幅器（ＡＭＰ）３９で増幅され、Ａ／Ｄ変換機（Ａ／Ｄ）４０でデジタルの画像データに変換される。
【００２２】
画像入力コントローラ４１は、バス４２を介してＣＰＵ５１に接続され、ＣＰＵ５１の制御命令に応じてＣＣＤ３６，ＣＤＳ３８，ＡＭＰ３９，Ａ／Ｄ４０を制御する。Ａ／Ｄ４０から出力された画像データは、ＲＡＭ４３に一時的に記憶される。
【００２３】
画像信号処理回路４４は、ＲＡＭ４３から画像データを読み出して階調変換、ホワイトバランス調整、γ補正処理等の各種画像処理を行い、この画像データを再度ＲＡＭ４３に記録する。ＹＣ変換処理回路４５は、画像信号処理回路４４で各種処理を行った画像データをＲＡＭ４３から読み出し、輝度信号Ｙと色差信号Ｃｒ，Ｃｂとに変換する。
【００２４】
ＶＲＡＭ４６は、表示パネル１９にスルー画像を出力するためのメモリであり、画像信号処理回路４４、ＹＣ変換処理回路４５を経た画像データが格納される。ＶＲＡＭ４６に格納された画像データは、ドライバ４７でアナログのコンポジット信号に変換され、表示パネル１９にスルー画像として表示される。
【００２５】
圧縮伸張処理回路４８は、ＹＣ変換処理回路４５でＹＣ変換された画像データに対して、所定の圧縮形式（例えば、ＪＰＥＧ形式）で画像圧縮を行う。圧縮された画像データは、メディアコントローラ４９を経由してメモリカード５０に記録される。
【００２６】
ＣＰＵ５１は、角度解析回路（傾き角検知手段）５２及び表示制御回路（スライドショー表示手段、コマ送り表示手段）５３を備えている。角度解析回路５２は、後述する加速度センサ（傾き角検知手段）５５から検知信号が出力されると、その信号からデジタルカメラ１１の傾き角θを解析し、その解析結果を表示制御回路５３に出力する。ここで、デジタルカメラ１１の傾き角θとは、図４に示すように、表示パネル１９を上に向けた状態のデジタルカメラ１１を正面から見た場合に、水平面Ｌ１とカメラボディ１２の背面１２ａとがなす角θのことをいう。なお、デジタルカメラ１１の傾き角θは、表示パネル１９を上に向けた状態のデジタルカメラ１１を正面から見た場合に、デジタルカメラ１１が左側に下り傾斜するように傾いているときの符号を＋（プラス）、表示パネル１９を上に向けた状態のデジタルカメラ１１を正面から見た場合に、デジタルカメラ１１が右側に下り傾斜するように傾いているときの符号を−（マイナス）として説明する。
【００２７】
表示制御回路５３は、後述するＲＯＭ５６に格納された表示プログラム５４に従って、撮影画像の表示制御を行う。表示モードが可変モードに切り替えられると、表示制御回路５３は、ＲＯＭ５６から表示プログラム５４を読み出して、以降の処理が表示プログラム５４に従って行われるように設定する。可変モードとは、デジタルカメラ１１の傾き角θに応じた表示速度で撮影画像を表示パネル１９にスライドショー表示又はコマ送り表示させるモードのことを言う。なお、通常モードとは、予め定められた一定の表示速度で撮影画像を表示パネル１９に表示させるモードのことを言う。
【００２８】
角度解析回路５２が解析結果を出力すると、表示制御回路５３は、解析結果と表示プログラム５４に従って撮影画像の表示速度及び撮影画像をスライドショー表示又はコマ送り表示させる順番を決定し、その速度及びコマ送り方向で順次表示パネル１９に撮影画像を表示させる。表示プログラム５４は、撮影画像の表示速度及び撮影画像をスライドショー表示又はコマ送り表示させる順番とデジタルカメラ１１の傾き角θとを対応付けて構成されており、表示制御回路５３で使用される。具体的には、表示プログラム５４は表１に示すように構成されている。
【００２９】
【表１】
2007049484.tif 000003
【００３０】
表１に示すように、表示プログラム５４は、デジタルカメラ１１の傾き角θの絶対値が０〜５°の間にあるときは、その時点で表示されている撮影画像が停止表示される。デジタルカメラ１１の傾き角θの絶対値が５°より大きくなる場合には、予め定められた傾き角θの大きさの範囲と表示速度とが対応付けられている。この範囲と表示速度との関係は、ある範囲における傾き角θの絶対値の上限値が他の範囲における傾き角θの絶対値の下限値より小さい場合には、他の範囲に設定されている表示速度がある範囲に設定されている表示速度より速くなるように設定されている。また、表示プログラム５４は、傾き角θの符号と撮影画像の画像データがメモリカード５０に記録される際に付与される番号（以下、コマ番号という。）とを使用して、撮影画像をスライドショー表示又はコマ送り表示する順番を決定している。傾き角θの符号がマイナスの時には、撮影画像をスライドショー表示又はコマ送り表示する順番は降順になるように設定され、傾き角θの符号がプラスの時には、撮影画像をスライドショー表示又はコマ送り表示する順番は昇順になるように設定されている。ここで、コマ番号１からコマ番号２５までの撮影画像がメモリカードに記録されているとすると、降順とは、コマ番号２５，２４，２３，…の順番で撮影画像を順次表示パネル１９に表示すること意味し、昇順とは、コマ番号１，２，３，…の順番で撮影画像を順次表示パネル１９に表示することを意味する。なお、表示制御回路５３は、メモリカード５０に記録されている撮影画像を全て表示した場合は、最初に表示した撮影画像から順次表示パネルに表示させる。
【００３１】
ＣＰＵ５１には、加速度センサ５５、ＲＯＭ５６及び操作部５７が接続されている。加速度センサ５５は、互いに垂直に交わるＸ，Ｙ，Ｚ軸の３軸方向で加速度を検知する。デジタルカメラ１１が可変モードになっていると、各軸方向で検知された検知結果は、順次角度解析回路５２に出力される。なお、この場合における検知結果は、加速度センサ５５が各軸方向の加速度を検知すると角度解析回路５２に直接出力するようにしてもよいし、加速度センサ５５が各軸方向の加速度を検知したときには、その検知結果をＲＡＭ４３に出力するようにしておき、ＲＡＭ４３に検知結果が書き込まれると、角度解析回路５２がＲＡＭ４３から検知結果を読み出すようにしてもよい。
【００３２】
ＲＯＭ５６は、デジタルカメラ１１を動作させる基本プログラムのほかに、前述した表示プログラム５４を格納している。操作部５７は、電源スイッチ１６、レリーズボタン１７、第１切替ボタン２０、第２切替ボタン２１、ズーム操作スイッチ２２、メニューボタン２３、実行ボタン２４、キャンセルボタン２５、及び表示ボタン２６の総称である。
【００３３】
バス４２には、電子シャッタのシャッタ速度及び絞り値から求められる露出量と、ホワイトバランスが撮影に適切か否かを検出するＡＥ／ＡＷＢ検出回路５８が接続されている。ＡＥ／ＡＷＢ検出回路５８は、ＹＣ変換処理回路４５でＹＣ変換された画像データの輝度信号Ｙ及び色差信号Ｃｒ，Ｃｂの積算値を元に露出値及びホワイトバランスの適否を検出し、これらの検出結果をＣＰＵ５１に送信する。ＣＰＵ５１は、ＡＥ／ＡＷＢ検出回路５８から送信された検出結果に基づいて、撮影レンズ１４、絞り３３及びＣＣＤ３６の動作を制御する。
【００３４】
次に、可変モードにおけるデジタルカメラ１１の動作を説明する。第１切替ボタン２０が操作されてデジタルカメラ１１のモードが再生モードに切り替えられ、かつ第２切替ボタン２１が操作されて表示モードに切り替えられると、ＣＰＵ５１は、通常モードと可変モードのいずれによってスライドショー表示するかを撮影者に選択させる。
【００３５】
ＣＰＵ５１は、表示モードに切り替えられた後、予め定められた時間（例えば１秒間）撮影者が何も操作をしなかった場合には、通常モードに切り替える。一方、ＣＰＵ５１は、予め定められた時間内に撮影者が第１切替ボタン２０と第２切替ボタン２１とを同時に押圧操作した場合には可変モードに切り替える。ＣＰＵ５１は、表示モードを可変モードに切り替えると、以降のように処理を実行する。
【００３６】
図５に示すように、ＣＰＵ５１は、コマ送り表示を開始する開始画像、及びコマ送り表示を終了する終了画像のいずれもが設定されているか否かを判定する（ステップＳ１）。ＣＰＵ５１は、ステップＳ１において開始画像及び終了画像のいずれもが設定されている場合には、表示パネル１９に「開始画像、終了画像の再設定をしますか？」等のメッセージを表示して、撮影者に開始画像及び終了画像の再設定を有無を選択させる（ステップＳ２）。撮影者が、ステップＳ２においてキャンセルボタン２５を押圧操作すると、ＣＰＵ５１は、再設定を行わないものと判断して、後述するステップＳ１８に処理を移行する。一方、撮影者が、ステップＳ２において実行ボタン２４を押圧操作した場合には、ＣＰＵ５１は、表示パネル１９に「開始画像を再設定しますか？」等のメッセージを表示して、撮影者に開始画像を再設定するか否かを選択させる（ステップＳ３）。ステップＳ３において、撮影者が実行ボタン２４を押圧操作した場合には、ＣＰＵ５１は、現段階で開始画像として設定されている撮影画像をリセットする（ステップＳ４）。一方、ステップＳ３において、撮影者がキャンセルボタン２５を押圧操作した場合には、ＣＰＵ５１は、開始画像の再設定は行わないものと判断して、処理をステップＳ５に移行させる。
【００３７】
開始画像の再設定の有無を撮影者が選択すると、ＣＰＵ５１は、表示パネル１９に「終了画像を再設定しますか？」等のメッセージを表示して、撮影者に終了画像を再設定するか否かを選択させる（ステップＳ５）。ステップＳ５において、撮影者が実行ボタン２４を押圧操作した場合には、ＣＰＵ５１は、現段階で終了画像として設定されている撮影画像をリセットして（ステップＳ６）、処理をステップＳ７に移行させる。一方、ステップＳ５において、撮影者がキャンセルボタン２５を押圧操作した場合には、ＣＰＵ５１は、終了画像の再設定は行わないものと判断して、処理をステップＳ７に移行させる。
【００３８】
ＣＰＵ５１は、ステップＳ１において開始画像及び終了画像のいずれかが設定されていないと判定した場合、又はステップＳ４若しくはステップＳ６において開始画像若しくは終了画像をリセットした場合には、加速度センサ５５から出力される検知信号に基づいて角度解析回路５２にデジタルカメラ１１の傾き角θを解析させる。デジタルカメラ１１の傾き角θの解析結果を角度解析回路５２が表示制御回路５３に出力すると、表示制御回路５３は、表示プログラム５４を使用してデジタルカメラ１１の傾き角が６°以上か否かを判定する（ステップＳ７）。表示制御回路５３は、ステップＳ７においてデジタルカメラ１１の傾き角θが６°以上と判定した場合には、図８に示すコマ番号１〜２５の撮影画像６１〜６３をコマ番号１，２，３，…の順でメモリカード５０から読み出して、順次表示パネル１９に撮影画像６１〜６３のスライドショー表示を実行する（ステップＳ８）。撮影画像６１〜６３のスライドショー表示は、ステップＳ７で判定された角度に応じて表示速度を変更しながら行われる。例えば、ステップＳ７でデジタルカメラ１１の傾き角θが１０°と判定された場合には、スライドショー表示は、１コマ／秒の表示速度で、撮影画像をコマ番号１，２，３，…と変化させるように行われる。なお、コマ番号２５の撮影画像までスライドショー表示が行われた場合には、表示制御回路５３は、再度コマ番号１の撮影画像から順次表示パネル１９に表示させる。
【００３９】
また、表示制御回路５３は、ステップＳ７においてデジタルカメラ１１の傾き角θが６°未満と判定した場合には、デジタルカメラ１１の傾き角θが−６°以下か否かを判定する（ステップＳ９）。表示制御回路５３は、ステップＳ９においてデジタルカメラ１１の傾き角θが−６°以下と判定した場合には、図８に示すコマ番号１〜２５の撮影画像６１〜６３をコマ番号２５，２４，２３，…の順でメモリカード５０から読み出して、順次表示パネル１９に撮影画像６１〜６３のスライドショー表示を実行する（ステップＳ１０）。撮影画像６１〜６３のスライドショー表示は、ステップＳ９で判定された角度に応じて表示速度を変更しながら行われる。例えば、ステップＳ９でデジタルカメラ１１の傾き角θが−３０°と判定された場合には、スライドショー表示は、５コマ／秒の表示速度で、撮影画像をコマ番号２５，２４，２３，…と変化させるように行われる。なお、コマ番号１の撮影画像までスライドショー表示が行われた場合には、表示制御回路５３は、再度コマ番号２５の撮影画像から順次表示パネル１９に表示させる。
【００４０】
表示制御回路５３は、ステップＳ９においてデジタルカメラ１１の傾き角θが−６°未満と判定した場合には、その時点で表示パネル１９に表示されている撮影画像をそのまま表示させる（ステップＳ１１）。例えば、表示制御回路５３は、ステップＳ９においてデジタルカメラ１１の傾き角θが１°と判定したときに、図８に示すコマ番号１の撮影画像６１が表示パネル１９に表示されていた場合には、コマ番号１の撮影画像６１をそのまま表示パネル１９に表示させる。
【００４１】
ステップＳ８，Ｓ１０又はＳ１１の処理が行われると、ＣＰＵ５１は、表示パネル１９に表示した撮影画像が選択されたか否かを判定する（ステップＳ１２）。ＣＰＵ５１は、ステップＳ１２において撮影画像が選択されなかったと判定すると、ステップＳ７まで処理を移行して、デジタルカメラ１１の傾き角θが６°以上か否か、或いはデジタルカメラ１１の傾き角θが−６°以下か否かの判定、及び傾き角θに応じた速度による撮影画像６１〜６３のスライドショー表示を一定の周期で実行する（ステップＳ７〜Ｓ１２）。
【００４２】
図６に示すように、ステップＳ１２において画像が選択された場合には、ＣＰＵ５１は、表示パネル１９に「選択した画像を開始画像に設定しますか？」等のメッセージを表示させて、その選択された画像を開始画像として設定するかを撮影者に選択させる（ステップＳ１３）。撮影者が、ステップＳ１２において実行ボタン２４を押圧操作した場合には、ＣＰＵ５１は、選択された撮影画像を開始画像に設定する（ステップＳ１４）。一方、撮影者が、ステップＳ１３においてキャンセルボタン２５を押圧操作した場合には、ＣＰＵ５１は、次に「選択した画像を終了画像に表示しますか？」等のメッセージを表示させて、選択された撮影画像を終了画像に設定するか否かを撮影者に選択させる（ステップＳ１５）。撮影者が、ステップＳ１５において実行ボタン２４を操作した場合には、ＣＰＵ５１は、選択された撮影画像を終了画像に設定する（ステップＳ１６）。一方、撮影者が、ステップＳ１５においてキャンセルボタン２５を押圧操作した場合には、ＣＰＵ５１は、ステップＳ１に処理を移行して、再度撮影画像６１〜６３のスライドショー表示、画像選択の有無等の処理を行う。
【００４３】
ＣＰＵ５１は、ステップＳ１４又はＳ１６において開始画像又は終了画像の設定が行われた場合には、開始画像及び終了画像の何れもが設定されたか否かを判定する（ステップＳ１７）。ＣＰＵ５１は、ステップＳ１７において開始画像及び終了画像のいずれか一方、又は両方が選択されていないと判定した場合には、処理をステップＳ７に移行して、デジタルカメラ１１の傾き角θの検知、デジタルカメラ１１の傾き角θに応じた速度での撮影画像のスライドショー表示、並びに開始画像及び終了画像の設定の処理を再度行う（ステップＳ７〜Ｓ１７）。
【００４４】
図７に示すように、ＣＰＵ５１は、ステップＳ１７において開始画像及び終了画像の両方が設定されたと判定したときは、表示パネル１９に「選択した撮影画像を可変モードでコマ送り表示しますか？」等のメッセージを表示して、開始画像のコマ番号（例えば、コマ番号１１）と終了画像のコマ番号（例えば、コマ番号２５）との間のコマ番号の撮影画像（例えば、コマ番号１１〜２５の撮影画像）を可変モードでコマ送り表示するか否かを撮影者に選択させる（ステップＳ１８）。なお、以降においては、図８に示すコマ番号１１の撮影画像が開始画像として、コマ番号２５が終了画像として設定されたとして説明する。
【００４５】
ＣＰＵ５１は、表示パネル１９に上述したメッセージを表示した後、撮影者が実行ボタン２４及びキャンセルボタン２５のいずれを操作したか判定する（ステップＳ１９）。ＣＰＵ５１は、ステップＳ１９において撮影者がキャンセルボタン２５を押圧操作したと判定した場合には、表示速度が一定な通常モードでコマ番号１１〜２５の撮影画像のコマ送り表示を行うように表示制御回路５２を制御する（ステップＳ２０）。一方、ＣＰＵ５１は、ステップＳ１９において撮影者が実行ボタン２４を押圧操作したと判定した場合には、加速度センサ５５から出力される検知信号に基づいて角度解析回路５２にデジタルカメラ１１の傾き角θを解析させる。デジタルカメラ１１の傾き角θの解析結果を角度解析回路５２が表示制御回路５３に出力すると、表示制御回路５３は、表示プログラム５４を使用してデジタルカメラ１１の傾き角θが６°以上か否かを判定する（ステップＳ２１）。表示制御回路５３は、ステップＳ２１においてデジタルカメラ１１の傾き角θが６°以上と判定した場合には、コマ番号１１〜２５までの撮影画像をコマ送り表示させる（ステップＳ２２）。撮影画像のコマ送り表示は、ステップＳ２１で判定された角度に応じて表示速度を変更しながら行われる。例えば、ステップＳ２１でデジタルカメラ１１の傾き角θが１０°と判定された場合には、コマ送り表示は、１コマ／秒の表示速度で、撮影画像をコマ番号１１，１２，１３，…と変化させるように行われる。なお、表示制御回路５３は、撮影画像をコマ送り表示させていってコマ番号が２５まで到達した場合には、再度コマ番号１１からコマ送り表示を行う。
【００４６】
表示制御回路５３は、ステップＳ２１においてデジタルカメラ１１の傾き角θが６°未満と判定した場合には、デジタルカメラ１１の傾き角θが−６°以下か否かを判定する（ステップＳ２３）。表示制御回路５３は、ステップＳ２３においてデジタルカメラ１１の傾き角θが−６°以下と判定すると、コマ番号１１〜２５までの撮影画像をコマ送り表示させる（ステップＳ２４）。撮影画像のコマ送り表示は、ステップＳ２３で判定された傾き角θに応じて表示速度を変更しながら行われる。例えば、ステップＳ２３でデジタルカメラ１１の傾き角θが−３０°と判定された場合には、コマ送り表示は、５コマ／秒の表示速度で、撮影画像６１〜６３をコマ番号２５，２４，２３，…と変化させるように行われる。なお、表示制御回路５３は、撮影画像６１〜６３をコマ送り表示させていってコマ番号が１１まで到達した場合には、再度コマ番号２５からコマ送り表示を行う。
【００４７】
表示制御回路５３は、ステップＳ２３においてデジタルカメラ１１の傾き角θが−６°より大きいと判定すると、その判定した時点に表示されているコマ番号の撮影画像をそのまま表示させる（ステップＳ２５）。例えば、表示制御回路５３は、ステップＳ２３においてデジタルカメラ１１の傾き角θが１°と判定したときに、図８に示すコマ番号１の撮影画像６１が表示パネル１９に表示されていた場合には、コマ番号１の撮影画像６１をそのまま表示パネル１９に表示させる。
【００４８】
ＣＰＵ５１は、表示制御回路５３がステップＳ２２，Ｓ２４又はＳ２５の処理を行った後に、第１切替ボタン２０のような他の操作ボタンが押圧操作されたか否かを判定する（ステップＳ２６）。ＣＰＵ５１は、ステップＳ２６において他の操作ボタンが押圧操作されていないと判定すると、ステップＳ１９に処理を移行して、デジタルカメラ１１の傾き角θの判定及びその傾き角θに応じた速度での撮影画像のコマ送り表示を継続して行う（ステップＳ１９〜Ｓ２６）。一方、ＣＰＵ５１は、ステップＳ２６において第１切替ボタン２０等が操作されたと判定すると、撮影画像のコマ送り表示を終了する。
【００４９】
次に、削除モードが選択された場合の処理の流れについて説明する。第１切替ボタン２０が操作されてデジタルカメラ１１のモードが再生モードに切り替えられ、かつ第２切替ボタン２１が操作されて削除モードに切り替えられると、ＣＰＵ５１は、加速度センサ５５から出力される検知信号に基づいて角度解析回路５２にデジタルカメラ１１の傾き角θを解析させる。デジタルカメラ１１の傾き角θの解析結果を角度解析回路５２が表示制御回路５３に出力すると、表示制御回路５３は、デジタルカメラ１１の傾き角θが６°以上か否かを判定する（ステップＳ５１）。表示制御回路５３は、ステップＳ５１においてデジタルカメラ１１の傾き角θが６°以上と判定した場合には、傾き角θに応じた速度で、図８に示すコマ番号１〜２５の撮影画像６１〜６３をコマ番号１，２，３，…の順でメモリカード５０から読み出して、順次表示パネル１９に撮影画像６１〜６３のスライドショー表示を実行する（ステップＳ５２）。例えば、表示制御回路５３は、ステップＳ５１でデジタルカメラ１１の傾き角θが１０°と判定した場合には、１コマ／秒の表示速度でコマ番号を１，２，３，…と変化させるようにスライドショー表示を行う。なお、コマ番号２５の撮影画像６３までスライドショー表示が行われた場合には、表示制御回路５３は、再度コマ番号１の撮影画像６１から順次表示パネル１９にスライドショー表示させる。
【００５０】
また、表示制御回路５３は、ステップＳ５１においてデジタルカメラ１１の傾き角θが６°未満と判定した場合には、デジタルカメラ１１の傾き角θが−６°以下か否かを判定する（ステップＳ５３）。表示制御回路５３は、ステップＳ５３においてデジタルカメラ１１の傾き角θが−６°以下と判定した場合には、傾き角θに応じた速度で、図８に示すコマ番号１〜２５の撮影画像６１〜６３をコマ番号２５，２４，２３，…の順にメモリカード５０から読み出して、順次表示パネル１９に撮影画像６１〜６３のスライドショー表示を実行する（ステップＳ５４）。例えば、表示制御回路５３は、ステップＳ５３でデジタルカメラ１１の傾き角θが−３０°と判定した場合には、５コマ／秒の表示速度でコマ番号を２５，２４，２３，…と変化させるように撮影画像６１〜６３をスライドショー表示を行う。なお、コマ番号１の撮影画像６１までスライドショー表示が行われた場合には、表示制御回路５３は、再度コマ番号２５の撮影画像６３から順次表示パネル１９に表示させる。
【００５１】
表示制御回路５３は、ステップＳ５４においてデジタルカメラ１１の傾き角θが−６°未満と判定した場合には、その時点で表示パネル１９に表示されている撮影画像をそのまま表示させる（ステップＳ５５）。例えば、ステップＳ５３で判定が行われたときに、図８に示すコマ番号１の撮影画像６１が表示パネル１９に表示されていた場合には、コマ番号１の撮影画像６１をそのまま表示パネル１９に表示させる。例えば、表示制御回路５３は、ステップＳ５３においてデジタルカメラ１１の傾き角θが１°と判定したときに、図８に示すコマ番号１の撮影画像６１が表示パネル１９に表示されていた場合には、コマ番号１の撮影画像６１をそのまま表示パネル１９に表示させる。
【００５２】
ステップＳ５２，Ｓ５４又はＳ５５の処理が行われると、ＣＰＵ５１は、実行ボタン２４が押圧操作されて、その時点に表示パネル１９に表示されていた撮影画像を削除画像として撮影者が選択したか否かを各撮影画像が表示パネル１９に表示される毎に判定する（ステップＳ５６）。ＣＰＵ５１は、ステップＳ５６において削除画像が選択されなかったと判定すると、ステップＳ５１まで処理を移行して、デジタルカメラ１１の傾き角θの判定並びにその傾き角θに応じた表示速度での撮影画像のスライドショー表示を一定の周期で実行する（ステップＳ５１〜Ｓ５６）。
【００５３】
ＣＰＵ５１は、ステップＳ５６において実行ボタン２４が押圧操作された場合には、表示パネル１９に「選択した撮影画像を削除画像に指定しました。」等のメッセージを表示パネル１９に表示すると共に、その撮影画像を削除画像として設定する（ステップＳ５７）。次に、ＣＰＵ５１は、上述したメッセージが表示された後に再度実行ボタン２４が押圧操作されたか否かを判定する（ステップＳ５８）。ＣＰＵ５１は、ステップＳ５８において実行ボタン２４が押圧操作されなかったと判定した場合には、処理をステップＳ５１に移行して、傾き角θの判定、傾き角θに応じた速度による撮影画像のスライドショー表示、及び実行ボタン２４の押圧操作の検知を一定の周期で行う。なお、削除画像を指定する処理が行われた後、再度撮影画像をスライドショー表示が行われる処理に移行した場合には、削除画像として指定された状態が継続される。
【００５４】
一方、ＣＰＵ５１は、ステップＳ５８において実行ボタン２４が押圧操作されたと判定した場合には、ステップＳ５７において削除画像として指定された撮影画像をコマ送り表示させる。表示制御回路５３は、削除画像を確認するためのコマ送り表示を行う旨のほかに、「可変モードでコマ送り表示を行いますか？」等のメッセージを表示パネル１９に表示する（ステップＳ５９）。撮影者が、ステップＳ５９においてキャンセルボタン２５を押圧操作すると、ＣＰＵ５１は、通常モードで削除画像のコマ送り表示を実行する（ステップＳ６０）。例えば、ステップＳ５１〜Ｓ５８の処理で、図８に示すコマ番号１１〜２５の撮影画像が削除画像として選択されている場合には、表示制御回路５３は、コマ番号１１，１２，１３，…の順で、一定の表示速度を維持しながら削除画像６２〜６３をコマ送り表示させる。一方、撮影者が、ステップＳ５９において実行ボタン２４を押圧操作すると、実行ボタン２４からの入力信号を受けたＣＰＵ５１は、可変モードでの処理を実行する。
【００５５】
一方、撮影者が、ステップＳ５９において実行ボタン２４を押圧操作した場合には、実行ボタン２４からの入力信号を受けたＣＰＵ５１は、加速度センサ５５から出力される検知信号に基づいて角度解析回路５２にデジタルカメラ１１の傾き角θを解析させる。デジタルカメラ１１の傾き角θの解析結果を角度解析回路５２が表示制御回路５３に出力すると、表示制御回路５３は、表示プログラム５４を使用してデジタルカメラ１１の傾き角θが６°以上か否かを判定する（ステップＳ６１）。表示制御回路５３は、ステップＳ６１においてデジタルカメラ１１の傾き角θが６°以上と判定した場合には、コマ番号１１〜２５までの撮影画像６２〜６３を、その判定した傾き角θに応じた速度で順次表示させる（ステップＳ６２）。
【００５６】
また、表示制御回路５３は、ステップＳ６１においてデジタルカメラ１１の傾き角θが６°未満と判定した場合には、デジタルカメラ１１の傾き角θが−６°以下か否かを判定する（ステップＳ６３）。表示制御回路５３は、ステップＳ６３においてデジタルカメラ１１の傾き角θが−６°以下と判定した場合には、コマ番号１１〜２５までの撮影画像６２〜６３を、その判定した傾き角θに応じた速度で、コマ番号２５，２４，２３…の順でコマ番号１１まで順次表示させる（ステップＳ６４）。表示制御回路５３は、ステップＳ６３においてデジタルカメラ１１の傾き角θが−６°より大きいと判定した場合には、その判定した時点に表示されているコマ番号の撮影画像をそのまま表示させる（ステップＳ６５）。
【００５７】
表示制御回路５３は、ステップＳ６２，Ｓ６４又はＳ６５においてコマ番号１１〜２５の撮影画像６２〜６３のコマ送り表示を行った後、「これらの撮影画像を削除しますか？」等のメッセージを表示パネル１９に表示させて、撮影者に削除画像を削除するか否か選択させる（ステップＳ６６）。撮影者が、ステップＳ６６においてキャンセルボタン２５を押圧操作した場合には、キャンセルボタン２５からの入力信号を受けたＣＰＵ５１は、コマ番号１１〜２５を削除画像とする設定をリセットして（ステップＳ６７）、削除画像の設定を再度実行する（ステップＳ５１〜Ｓ６６）。一方、撮影者が、ステップＳ６６において実行ボタン２４を押圧操作した場合には、ＣＰＵ５１は、コマ番号１１〜２５の撮影画像６２〜６３をメモリカード５０から削除する（ステップＳ６８）。
【００５８】
以上のように、本発明のデジタルカメラによれば、デジタルカメラの傾き角θを変更することによって撮影画像がスライドショー表示される表示速度を調節できる。このため、撮影者は、大量の撮影画像が記録されているメモリカードから特定の撮影画像を探す場合に、その特定の撮影画像とは関係のない撮影画像が表示されているときには高速でスライドショー表示を行わせ、特定の撮影画像がありそうなときにはデジタルカメラの傾き角θを調節して、スライドショー表示の表示速度を低速にすることができる。したがって、撮影者は、効率的に特定の撮影画像を探すことが出来るので、特定の画像が表示されるまで待つような撮影者の煩わしさを解消できる。また、デジタルカメラの傾き角θを調節することによってスライドショー表示の表示速度を調節するようにしたので、表示速度の調節を簡単に行うことができる。したがって、デジタルカメラの小型化によって操作ボタンが小型化されたとしても、操作の煩わしさを撮影者に感じさせることなく、特定の撮影画像を探し、選択することが可能になる。
【００５９】
また、本発明のデジタルカメラによれば、選択した撮影画像をコマ送り表示する場合の表示速度もデジタルカメラの傾き角θを変更することによって調節できる。したがって、開始画像から終了画像までのコマ送り表示や、削除画像として選択した撮影画像のコマ送り表示を行う場合の表示速度も簡単に調節することができ、デジタルカメラの操作の煩わしさを撮影者に感じさせることがなくなる。また、コマ送り表示を行う際の表示速度を調節できるようにしているので、選択した撮影画像の確認作業も効率的に行うことが可能になる。
【００６０】
なお、本実施形態のデジタルカメラでは、デジタルカメラの傾き角θを、表示パネルを上側に向けたデジタルカメラを正面から見た場合におけるカメラボディの背面と水平面とのなす角として定義しているが、本発明はこれに限定されるものではなく、例えば、表示パネルを上側に向けたデジタルカメラ１１を左右いずれかの側面から見た場合（図４のように配置したデジタルカメラを左右のいずれかから見た場合）におけるカメラボディの背面と水平面とのなす角をデジタルカメラの傾き角θとしてもよいし、これ以外にも、デジタルカメラの傾き角θは適宜設定することとしてもよい。また、デジタルカメラの傾き角θの検知結果に基づいて、スライドショー表示の表示速度制御以外の別の制御（例えば、撮影モードと表示モードとの切替等）が行えるようにしてもよい。
【００６１】
また、本実施形態のデジタルカメラは、傾き角検知用の加速度センサをデジタルカメラに新たに組み込んでいるが、本発明はこれに限定されるものではなく、撮影モード時に使用される手ブレセンサを兼用してもよい。
【００６２】
また、スライドショー表示を行う場合の表示速度は、表１に示すように傾き角θと表示速度とを対応付けるように表示プログラムに設定されているものとして説明しているが、本発明はこれに限定されるものではなく、適宜設定することができる。
【図面の簡単な説明】
【００６３】
【図１】本実施形態のデジタルカメラの外観を表した外観斜視図である。
【図２】デジタルカメラの裏面側の外観を表した外観斜視図である。
【図３】デジタルカメラの電気的構成を表した電気ブロック図である。
【図４】デジタルカメラの傾き角を説明する説明図である。
【図５】可変モードの処理の流れを表したフローチャートである。
【図６】可変モードの処理の流れを表したフローチャートである。
【図７】可変モードの処理の流れを表したフローチャートである。
【図８】メモリカードに記録されている撮影画像の一例を表した説明図である。
【図９】削除モードの処理の流れを表したフローチャートである。
【図１０】削除モードの処理の流れを表したフローチャートである。
【符号の説明】
【００６４】
１１  デジタルカメラ
１２  カメラボディ
１９  表示パネル
２０  第１切替ボタン
２１  第２切替ボタン
２４  実行ボタン（選択手段）
５１  ＣＰＵ
５２  角度解析回路（傾き角検知手段）
５３  表示制御回路（スライドショー表示手段）
５５  加速度センサ（傾き角検知手段）
６１，６２，６３  撮影画像（開始画像、終了画像、削除画像）
【図１】
2007049484.tif 000004
【図２】
2007049484.tif 000005
【図３】
2007049484.tif 000006
【図４】
2007049484.tif 000007
【図５】
2007049484.tif 000008
【図６】
2007049484.tif 000009
【図７】
2007049484.tif 000010
【図８】
2007049484.tif 000011
【図９】
2007049484.tif 000012
【図１０】
2007049484.tif 000013